(57)【要約】１つまたは複数のセルを使用するワイヤレス通信において測定構成を構成および／または再構成するための方法およびシステムを開示する。１つもしくは複数のサービングセル、および／または１つもしくは複数のサービングコンポーネントキャリアに関連するイベントにとりわけ基づいて、測定構成報告を再構成することができる。また、１つまたは複数のサービングコンポーネントキャリアに関連するイベントに基づいて、測定構成および測定構成報告を再構成することができる。
2013516113.tif 000002
【特許請求の範囲】
【請求項１】
プロセッサを備えるワイヤレス送受信ユニット（ＷＴＲＵ）であって、前記プロセッサは、
リソース無線制御（ＲＣＣ）接続状態を決定すること、及び、
測定構成を再構成すること
を行うように少なくとも部分的に構成されたことを特徴とするＷＴＲＵ。
【請求項２】
前記測定構成の前記再構成は、前記測定構成から少なくとも１つのパラメータを除去することを含むことを特徴とする請求項１に記載のＷＴＲＵ。
【請求項３】
前記ＲＲＣ接続状態は、ＲＲＣ接続再確立とＲＲＣ接続再構成とのうちの少なくとも一方として決定されることを特徴とする請求項２に記載のＷＴＲＵ。
【請求項４】
前記プロセッサは、前記ＲＲＣ接続再確立と前記ＲＲＣ接続再構成とのうちの少なくとも一方の間に前記測定構成から前記少なくとも１つのパラメータを除去するようにさらに構成されたことを特徴とする請求項３に記載のＷＴＲＵ。
【請求項５】
前記プロセッサは、少なくとも１つの条件に基づいて前記測定構成から前記少なくとも１つのパラメータを除去するようにさらに構成されたことを特徴とする請求項４に記載のＷＴＲＵ。
【請求項６】
前記少なくとも１つのパラメータはｍｅａｓＩｄパラメータに対応することを特徴とする請求項５に記載のＷＴＲＵ。
【請求項７】
第１の条件は、前記ｍｅａｓＩｄパラメータがＡ１測定イベントとＡ２測定イベントとのうちの少なくとも一方に関連することを含むことを特徴とする請求項６に記載のＷＴＲＵ。
【請求項８】
前記プロセッサは、前記第１の条件と第２の条件との両方に基づいて前記測定構成から前記少なくとも１つのパラメータを除去するようにさらに構成され、前記第２の条件は、前記ｍｅａｓＩｄパラメータが、構成されないコンポーネントキャリア（ＣＣ）に対応するｍｅａｓＯｂｊｅｃｔパラメータに関連することを含むことを特徴とする請求項７に記載のＷＴＲＵ。
【請求項９】
プロセッサを備えるワイヤレス送受信ユニット（ＷＴＲＵ）であって、前記プロセッサは、
少なくとも１つの条件に基づいて測定報告を構成することであって、前記測定報告が、前記ＷＴＲＵをその上で動作するように構成可能な１つまたは複数の周波数に関する測定結果を含むこと、及び、
前記測定報告を送信すること
を行うように少なくとも部分的に構成されたことを特徴とするＷＴＲＵ。
【請求項１０】
前記測定報告は、前記ＷＴＲＵをその上で動作するように構成可能な、第１の周波数以外の１つまたは複数の周波数に関する測定結果を含み、前記第１の周波数は前記少なくとも１つの条件に関連することを特徴とする請求項９に記載のＷＴＲＵ。
【請求項１１】
前記少なくとも１つの条件は、前記第１の周波数における第１のセルの信号品質が第１のしきい値よりも低くなること、および、前記第１の周波数以外の前記１つまたは複数の周波数における第２のセルの信号品質が第２のしきい値よりも高いことを含むことを特徴とする請求項１０に記載のＷＴＲＵ。
【請求項１２】
前記少なくとも１つの条件は、前記第１の周波数における前記ＷＴＲＵにサービスする第１のセルに関連する第１の品質測定値が第１のしきい値よりも低くなること、および第２の品質測定値が第２のしきい値よりも高いことを含み、前記第２の品質測定値は、前記第１の周波数以外の前記１つまたは複数の周波数における第２のセルに関連することを特徴とする請求項１０に記載のＷＴＲＵ。
【請求項１３】
前記少なくとも１つの条件は、前記第１の周波数における第１のセルに関連する第１の品質測定値が第１のしきい値よりも低くなること、および第２の品質測定値が第２のしきい値よりも高いことを含み、前記第２の品質測定値は、前記第１の周波数以外の前記１つまたは複数の周波数における第２のセルに関連することを特徴とする請求項１０に記載のＷＴＲＵ。
【請求項１４】
前記少なくとも１つの条件は、前記第１の周波数における前記ＷＴＲＵにサービスする第１のセルに関連する第１の品質測定値が、前記第１のセルの近傍の第２のセルに関連する第２の品質測定値よりも低くなること、および第３の品質測定値がしきい値よりも高いことを含み、前記第３の品質測定値は、前記第１の周波数以外の前記１つまたは複数の周波数における第３のセルに関連することを特徴とする請求項１０に記載のＷＴＲＵ。
【請求項１５】
前記少なくとも１つの条件は、前記第１の周波数における第１のセルに関連する第１の品質測定値が、前記第１のセルの近傍の第２のセルに関連する第２の品質測定値よりも低くなること、および第３の品質測定値がしきい値よりも高いことを含み、前記第３の品質測定値は、前記第１の周波数以外の前記１つまたは複数の周波数における第３のセルに関連することを特徴とする請求項１０に記載のＷＴＲＵ。
【請求項１６】
プロセッサを備えるワイヤレス送受信ユニット（ＷＴＲＵ）であって、前記プロセッサは、
１つまたは複数のセルに関連する少なくとも１つの条件を決定することであって、前記ＷＴＲＵが、前記１つまたは複数のセルのうちの少なくとも１つのセル上で動作するように構成可能であること、及び、
前記少なくとも１つの条件に基づいて測定報告を送信すること
を行うように少なくとも部分的に構成されたことを特徴とするＷＴＲＵ。
【請求項１７】
前記少なくとも１つの条件は、前記１つまたは複数のセルのうちの少なくとも１つに関連する品質測定値がしきい値よりも低くなることを含むことを特徴とする請求項１６に記載のＷＴＲＵ。
【請求項１８】
前記品質測定値は信号強度と信号品質とのうちの少なくとも一方であることを特徴とする請求項１７に記載のＷＴＲＵ。
【請求項１９】
１つまたは複数の周波数上の前記１つまたは複数のセルのうちの前記少なくとも１つのセル上で動作するように構成可能であることを特徴とする請求項１７に記載のＷＴＲＵ。
【請求項２０】
前記１つまたは複数のセルは１次サービングセルと２次サービングセルとのうちの少なくとも一方を含むことを特徴とする請求項１９に記載のＷＴＲＵ。
【発明の詳細な説明】
【背景技術】
【０００１】
関連出願の相互参照
本出願は、２００９年１２月２３日に出願された「ＭＥＴＨＯＤ  ＡＮＤ  ＡＰＰＡＲＡＴＵＳ  ＦＯＲ  ＭＥＡＳＵＲＥＭＥＮＴＳ  ＩＮ  ＷＩＲＥＬＥＳＳ  ＣＯＭＭＵＮＩＣＡＴＩＯＮＳ  ＵＳＩＮＧ  ＭＵＬＴＩＰＬＥ  ＣＡＲＲＩＥＲＳ」という名称の米国特許仮出願第６１／２８９，８８７号明細書、２０１０年４月３０日に出願された「ＭＥＴＨＯＤ  ＡＮＤ  ＡＰＰＡＲＡＴＵＳ  ＦＯＲ  ＰＥＲＦＯＲＭＩＮＧ  ＭＥＡＳＵＲＥＭＥＮＴＳ  ＩＮ  ＷＩＲＥＬＥＳＳ  ＣＯＭＭＵＮＩＣＡＴＩＯＮＳ  ＵＳＩＮＧ  ＭＵＬＴＩＰＬＥ  ＣＡＲＲＩＥＲＳ」という名称の米国特許仮出願第６１／３２９，６２９号明細書、および、２０１０年１０月１日に出願された「ＰＥＲＦＯＲＭＩＮＧ  ＭＥＡＳＵＲＥＭＥＮＴＳ  ＩＮ  ＷＩＲＥＬＥＳＳ  ＣＯＭＭＵＮＩＣＡＴＩＯＮＳ  ＵＳＩＮＧ  ＭＵＬＴＩＰＬＥ  ＣＡＲＲＩＥＲＳ」という名称の米国特許仮出願第６１／３８８，８７６号明細書の利益を主張するものであり、この３つの出願全ての内容は、事実上、それぞれの全体が参照により本明細書に組み込まれる。
【０００２】
ワイヤレス送受信ユニット（ＷＴＲＵ）は、移動性の目的で、周波数内／周波数間および無線アクセス技術間（ＲＡＴ間）の測定を実施することができる。周波数内測定は、ＷＴＲＵによって、その現在のサービングセルと同じ搬送波周波数上で実施することができる。ＷＴＲＵはこのような測定を、測定ギャップなしに行うことができる。周波数間の近傍測定またはセル測定は、ＷＴＲＵによって、現在のサービングセルとは異なる搬送波周波数上で実施することができる。ＷＴＲＵはこのような測定を、測定ギャップなしに行うことができない場合がある。測定ギャップは、ＷＴＲＵがサービングセルの周波数上でどんな送信も実施または受信できない期間とすることができる。ＲＡＴ間測定は、別のＲＡＴ（おそらく、現在のサービングセル中でＷＴＲＵによって使用されているであろうＲＡＴ以外のＲＡＴ）によって使用されている搬送波周波数上で、ＷＴＲＵによって実施することができる。
【発明の概要】
【０００３】
この概要は、詳細な記述においてさらに後述する概念の精選を、単純化した形で紹介するために提供するものである。この概要は、特許請求する主題の鍵となる特徴または本質的な特徴を識別するものとはせず、また、特許請求する主題の範囲を限定するために使用されるものともしない。さらに、特許請求する主題は、本開示の任意の部分で述べられるいずれかまたは全ての欠点を解決する制限に限定されない。
【０００４】
方法、システム、および装置を使用して、複数の搬送波を使用する通信において測定構成によるシグナリングオーバヘッドを低減することができる。この方法は、様々なイベントによってトリガされる、測定の１つまたは複数の報告の送信に基づくことができる。
【０００５】
実施形態は、ワイヤレス送受信ユニット（ＷＴＲＵ）がプロセッサを備えてよいことを企図する。プロセッサは、リソース無線制御（ＲＲＣ）接続状態を決定して測定構成を再構成するように、少なくとも部分的に構成されてよい。測定構成の再構成は、測定構成から少なくとも１つのパラメータを除去することを含んでよい。ＲＲＣ接続状態は、ＲＲＣ接続再確立とＲＲＣ接続再構成とのうちの少なくとも一方として決定することができる。実施形態は、プロセッサが、ＲＲＣ接続再確立とＲＲＣ接続再構成とのうちの少なくとも一方の間に測定構成からパラメータを除去するようにさらに構成されてよいことを企図する。また、プロセッサは、少なくとも１つの条件に基づいて測定構成から少なくとも１つのパラメータを除去するようにさらに構成されてよい。
【０００６】
実施形態は、ワイヤレス送受信ユニット（ＷＴＲＵ）がプロセッサを備えてよいことを企図する。プロセッサは、少なくとも１つの条件に基づいて測定報告を構成するように、少なくとも部分的に構成されてよく、測定報告は、周波数上で動作するようにＷＴＲＵを構成可能とすることのできる１つまたは複数の周波数に関する測定結果を含んでよい。プロセッサはまた、測定報告を送信するように構成されてよい。測定報告は、ＷＴＲＵがその上で動作するように構成可能とすることのできる、第１の周波数以外の１つまたは複数の周波数に関する測定結果を含んでよい。第１の周波数は、少なくとも１つの条件に関連してよい。実施形態は、少なくとも１つの条件が、第１の周波数に関連する搬送波の信号品質が第１のしきい値よりも低くなること、および、ＷＴＲＵがその上で動作するように構成可能とすることのできる、第１の周波数以外の１つまたは複数の周波数に関連する搬送波の信号品質が第２のしきい値よりも高いことを含んでよいことを企図する。
【０００７】
実施形態は、プロセッサを備えてよいワイヤレス送受信ユニット（ＷＴＲＵ）を企図する。プロセッサは、１つまたは複数の搬送波に関連し得る少なくとも１つの条件を決定するように、少なくとも部分的に構成されてよい。ＷＴＲＵは、１つまたは複数の搬送波のうちの少なくとも１つの搬送波上で動作するように構成可能とすることができる。また、プロセッサは、少なくとも１つの条件に基づいて測定報告を送信するように構成されてよい。実施形態は、少なくとも１つの条件が、１つまたは複数の搬送波のうちの少なくとも１つに関連し得る品質測定値がしきい値よりも低くなることを含んでよいことを企図する。品質測定値は、信号強度と信号品質とのうちの少なくとも一方とすることができ、ＷＴＲＵは、１つまたは複数の周波数上の１つまたは複数の搬送波のうちの、この少なくとも１つの搬送波上で動作するように構成可能とすることができる。
【図面の簡単な説明】
【０００８】
添付の図面と共に例として提供する以下の記述から、より詳細な理解を得ることができる。
【０００９】
【図１Ａ】１つまたは複数の開示する実施形態を実施できる例示的な通信システムのシステム図である。
【図１Ｂ】図１Ａに示す通信システム内で使用できる例示的なワイヤレス送受信ユニット（ＷＴＲＵ）のシステム図である。
【図１Ｃ】図１Ａに示す通信システム内で使用できる例示的な無線アクセスネットワークおよび例示的なコアネットワークのシステム図である。
【図２】信号品質を表示する図である。
【図３】例示的なオンデマンド測定報告のブロック図である。
【図４】例示的な測定実施形態のブロック図である。
【図５】例示的な測定実施形態のブロック図である。
【図５Ａ】例示的な測定実施形態のブロック図である。
【図６】例示的な測定実施形態のブロック図である。
【発明を実施するための形態】
【００１０】
図１Ａは、１つまたは複数の開示する実施形態を実施できる例示的な通信システム１００の図である。通信システム１００は、音声、データ、ビデオ、メッセージング、ブロードキャストなどのコンテンツを複数のワイヤレスユーザに提供する多元接続システムとすることができる。通信システム１００は、複数のワイヤレスユーザが、ワイヤレス帯域幅を含めたシステムリソースの共有を介してこのようなコンテンツにアクセスするのを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一搬送波ＦＤＭＡ（ＳＣ−ＦＤＭＡ）など、１つまたは複数のチャネルアクセス方法を採用することができる。
【００１１】
図１Ａに示すように、通信システム１００は、ワイヤレス送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含んでよいが、開示する実施形態が任意の数のＷＴＲＵ、基地局、ネットワーク、および／またはネットワーク要素を企図することは理解されるであろう。ＷＴＲＵ１０２ａ、１０２ｂ、１０２ｃ、１０２ｄはそれぞれ、ワイヤレス環境で動作および／または通信するように構成された任意のタイプのデバイスとすることができる。例として、ＷＴＲＵ１０２ａ、１０２ｂ、１０２ｃ、１０２ｄは、ワイヤレス信号を送信および／または受信するように構成されてよく、ユーザ機器（ＵＥ）、移動局、固定または移動加入者ユニット、ページャ、セルラー電話機、パーソナルディジタルアシスタント（ＰＤＡ）、スマートフォン、ラップトップ、ネットブック、パーソナルコンピュータ、ワイヤレスセンサ、消費者電子機器などを含んでよい。
【００１２】
通信システム１００はまた、基地局１１４ａおよび基地局１１４ｂを含んでよい。基地局１１４ａ、１１４ｂはそれぞれ、ＷＴＲＵ１０２ａ、１０２ｂ、１０２ｃ、１０２ｄの少なくとも１つとワイヤレスにインタフェースして、コアネットワーク１０６、インターネット１１０、および／またはネットワーク１１２など１つまたは複数の通信ネットワークへのアクセスを容易にするように構成された、任意のタイプのデバイスとすることができる。例として、基地局１１４ａ、１１４ｂは、ベーストランシーバステーション（ＢＴＳ）、ノードＢ、ｅノードＢ、ホームノードＢ、ホームｅノードＢ、サイトコントローラ、アクセスポイント（ＡＰ）、ワイヤレスルータなどとすることができる。基地局１１４ａ、１１４ｂはそれぞれ単一の要素として描かれているが、基地局１１４ａ、１１４ｂは任意の数の相互接続された基地局および／またはネットワーク要素を含んでよいことは理解されるであろう。
【００１３】
基地局１１４ａはＲＡＮ１０４の一部とすることができ、ＲＡＮ１０４は、基地局コントローラ（ＢＳＣ）、無線ネットワークコントローラ（ＲＮＣ）、中継ノードなど、他の基地局および／またはネットワーク要素（図示せず）も含んでよい。基地局１１４ａおよび／または基地局１１４ｂは、セル（図示せず）と呼ばれることのある特定の地理領域内でワイヤレス信号を送信および／または受信するように構成されてよい。セルはさらに、セルセクタに分割することができる。例えば、基地局１１４ａに関連するセルを３つのセクタに分割することができる。したがって、一実施形態では、基地局１１４ａは、３つの送受信機、すなわちセルの各セクタにつき１つの送受信機を備えてよい。別の実施形態では、基地局１１４ａは、多入力多出力（ＭＩＭＯ）技術を採用することができ、したがって、セルの各セクタにつき複数の送受信機を利用することができる。
【００１４】
基地局１１４ａ、１１４ｂは、エアインタフェース１１６を介してＷＴＲＵ１０２ａ、１０２ｂ、１０２ｃ、１０２ｄの１つまたは複数と通信することができ、エアインタフェース１１６は、任意の適切なワイヤレス通信リンク（例えば無線周波数（ＲＦ）、電磁波、赤外線（ＩＲ）、紫外線（ＵＶ）、可視光など）とすることができる。エアインタフェース１１６は、任意の適切な無線アクセス技術（ＲＡＴ）を使用して確立されてよい。
【００１５】
より具体的には、述べたように、通信システム１００は多元接続システムとすることができ、ＣＤＭＡ、ＴＤＭＡ、ＦＤＭＡ、ＯＦＤＭＡ、ＳＣ−ＦＤＭＡなど、１つまたは複数のチャネルアクセス方式を採用することができる。例えば、ＲＡＮ１０４中の基地局１１４ａ、およびＷＴＲＵ１０２ａ、１０２ｂ、１０２ｃは、ＵＴＲＡ（ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）Ｔｅｒｒｅｓｔｒｉａｌ  Ｒａｄｉｏ  Ａｃｃｅｓｓ）などの無線技術を実装することができ、ＵＭＴＳ  ＵＴＲＡは、ワイドバンドＣＤＭＡ（ＷＣＤＭＡ）を使用してエアインタフェース１１６を確立することができる。ＷＣＤＭＡは、高速パケットアクセス（ＨＳＰＡ）および／または発展型ＨＳＰＡ（ＨＳＰＡ＋）などの通信プロトコルを含んでよい。ＨＳＰＡは、高速ダウンリンクパケットアクセス（ＨＳＤＰＡ）および／または高速アップリンクパケットアクセス（ＨＳＵＰＡ）を含んでよい。
【００１６】
別の実施形態では、基地局１１４ａおよびＷＴＲＵ１０２ａ、１０２ｂ、１０２ｃは、Ｅ−ＵＴＲＡ（Ｅｖｏｌｖｅｄ  ＵＭＴＳ  Ｔｅｒｒｅｓｔｒｉａｌ  Ｒａｄｉｏ  Ａｃｃｅｓｓ）などの無線技術を実装することができ、Ｅ−ＵＴＲＡは、ＬＴＥ（Ｌｏｎｇ  Ｔｅｒｍ  Ｅｖｏｌｕｔｉｏｎ）および／またはＬＴＥ−Ａ（ＬＴＥ−Ａｄｖａｎｃｅｄ）を使用してエアインタフェース１１６を確立することができる。
【００１７】
他の実施形態では、基地局１１４ａおよびＷＴＲＵ１０２ａ、１０２ｂ、１０２ｃは、ＩＥＥＥ８０２．１６（すなわちＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＣＤＭＡ２０００  １Ｘ、ＣＤＭＡ２０００ＥＶ−ＤＯ、ＩＳ−２０００（Ｉｎｔｅｒｉｍ  Ｓｔａｎｄａｒｄ２０００）、ＩＳ−９５（Ｉｎｔｅｒｉｍ  Ｓｔａｎｄａｒｄ９５）、ＩＳ−８５６（Ｉｎｔｅｒｉｍ  Ｓｔａｎｄａｒｄ８５６）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、ＧＳＭ  ＥＤＧＥ（ＧＥＲＡＮ）などの無線技術を実装することができる。
【００１８】
図１Ａの基地局１１４ｂは、例えばワイヤレスルータ、ホームノードＢ、ホームｅノードＢ、またはアクセスポイントとすることができ、事業所、家庭、車両、キャンパスなど、局所化された領域における無線接続性を容易にするために、任意の適切なＲＡＴを利用することができる。一実施形態では、基地局１１４ｂおよびＷＴＲＵ１０２ｃ、１０２ｄは、ＩＥＥＥ８０２．１１などの無線技術を実装して、ワイヤレスローカルエリアネットワーク（ＷＬＡＮ）を確立することができる。別の実装形態では、基地局１１４ｂおよびＷＴＲＵ１０２ｃ、１０２ｄは、ＩＥＥＥ８０２．１５などの無線技術を実装して、ワイヤレスパーソナルエリアネットワーク（ＷＰＡＮ）を確立することができる。さらに別の実施形態では、基地局１１４ｂおよびＷＴＲＵ１０２ｃ、１０２ｄは、セルラーベースのＲＡＴ（例えばＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示すように、基地局１１４ｂは、インターネット１１０への直接接続を有することができる。したがって、基地局１１４ｂは、コアネットワーク１０６を介してインターネット１１０にアクセスすることは必要とされなくてよい。
【００１９】
ＲＡＮ１０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄの１つまたは複数に提供するように構成された、任意のタイプのネットワークとすることができる。例えば、コアネットワーク１０６は、呼制御、課金サービス、モバイル位置ベースのサービス、前払い通話、インターネット接続性、ビデオ配信などを提供することができ、かつ／または、ユーザ認証など高レベルのセキュリティ機能を実施することができる。図１Ａには示されていないが、ＲＡＮ１０４および／またはコアネットワーク１０６は、ＲＡＮ１０４と同じＲＡＴまたは異なるＲＡＴを採用する他のＲＡＮと直接的または間接的に通信できることは理解されるであろう。例えば、コアネットワーク１０６は、Ｅ−ＵＴＲＡ無線技術を利用している場合のあるＲＡＮ１０４に接続されることに加えて、ＧＳＭ無線技術を採用する別のＲＡＮ（図示せず）と通信することもできる。
【００２０】
コアネットワーク１０６はまた、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとしての働きをすることができる。ＰＳＴＮ１０８は、ＰＯＴＳ（ｐｌａｉｎ  ｏｌｄ  ｔｅｌｅｐｈｏｎｅ  ｓｅｒｖｉｃｅ）を提供する回路交換電話網を含んでよい。インターネット１１０は、ＴＣＰ／ＩＰインターネットプロトコルスイート中のＴＣＰ（ｔｒａｎｓｍｉｓｓｉｏｎ  ｃｏｎｔｒｏｌ  ｐｒｏｔｏｃｏｌ）ＵＤＰ（ｕｓｅｒ  ｄａｔａｇｒａｍ  ｐｒｏｔｏｃｏｌ）、およびＩＰ（ｉｎｔｅｒｎｅｔ  ｐｒｏｔｏｃｏｌ）など、一般的な通信プロトコルを使用する相互接続されたコンピュータネットワークおよびデバイスの、グローバルシステムを含んでよい。ネットワーク１１２は、他のサービスプロバイダによって所有および／または運営される有線またはワイヤレス通信ネットワークを含んでよい。例えば、ネットワーク１１２は、ＲＡＮ１０４と同じＲＡＴまたは異なるＲＡＴを採用し得る１つまたは複数のＲＡＮに接続された、別のコアネットワークを含んでよい。
【００２１】
通信システム１００中のＷＴＲＵ１０２ａ、１０２ｂ、１０２ｃ、１０２ｄのいくつかまたは全ては、マルチモード能力を備えてよい。すなわち、ＷＴＲＵ１０２ａ、１０２ｂ、１０２ｃ、１０２ｄは、種々のワイヤレスリンクを介して種々のワイヤレスネットワークと通信するために、複数の送受信機を備えてよい。例えば、図１Ａに示すＷＴＲＵ１０２ｃは、セルラーベースの無線技術を採用し得る基地局１１４ａ、およびＩＥＥＥ８０２無線技術を採用し得る基地局１１４ｂと通信するように構成されてよい。
【００２２】
図１Ｂは、例示的なＷＴＲＵ１０２のシステム図である。図１Ｂに示すように、ＷＴＲＵ１０２は、プロセッサ１１８、送受信機１２０、送受信要素１２２、スピーカ／マイクロホン１２４、キーパッド１２６、表示装置／タッチパッド１２８、取外し不可能メモリ１３０、取外し可能メモリ１３２、電源１３４、全地球測位システム（ＧＰＳ）チップセット１３６、および他の周辺装置１３８を備えてよい。ＷＴＲＵ１０２が、一実施形態との整合性を保ったまま上記の要素の任意のサブコンビネーションを備えてよいことは理解されるであろう。
【００２３】
プロセッサ１１８は、汎用プロセッサ、専用プロセッサ、従来型プロセッサ、ディジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などとすることができる。プロセッサ１１８は、信号符号化、データ処理、電力制御、入出力処理、および／または、ＷＴＲＵ１０２がワイヤレス環境で動作できるようにする任意の他の機能を実施することができる。プロセッサ１１８は送受信機１２０に結合されてよく、送受信機１２０は、送受信要素１２２に結合されてよい。図１Ｂではプロセッサ１１８と送受信機１２０とを別個のコンポーネントとして描いているが、プロセッサ１１８と送受信機１２０とを共に電子パッケージまたはチップ中で統合してもよいことは理解されるであろう。
【００２４】
送受信要素１２２は、エアインタフェース１１６を介して基地局（例えば基地局１１４ａ）に信号を送信するかまたは基地局から信号を受信するように構成されてよい。例えば、一実施形態では、送受信要素１２２は、ＲＦ信号を送信および／または受信するように構成されたアンテナとすることができる。別の実施形態では、送受信要素１２２は、例えばＩＲ、ＵＶ、または可視光信号を送信および／または受信するように構成された、エミッタ／検出器とすることができる。さらに別の実施形態では、送受信要素１２２は、ＲＦ信号と光信号との両方を送信および受信するように構成されてよい。送受信要素１２２がワイヤレス信号の任意の組合せを送信および／または受信するように構成されてよいことは、理解されるであろう。
【００２５】
加えて、図１Ｂでは送受信要素１２２が単一の要素として描かれているが、ＷＴＲＵ１０２は、任意の数の送受信要素１２２を備えてよい。より具体的には、ＷＴＲＵ１０２は、ＭＩＭＯ技術を採用することができる。したがって、一実施形態では、ＷＴＲＵ１０２は、エアインタフェース１１６を介してワイヤレス信号を送信および受信するために、２つまたはそれ以上の送受信要素１２２（例えば複数のアンテナ）を備えてよい。
【００２６】
送受信機１２０は、送受信要素１２２によって送信されることになる信号を変調し、送受信要素１２２によって受信された信号を復調するように構成されてよい。述べたように、ＷＴＲＵ１０２は、マルチモード能力を有することができる。したがって、送受信機１２０は、ＷＴＲＵ１０２が例えばＵＴＲＡやＩＥＥＥ８０２．１１など複数のＲＡＴを介して通信できるようにするために、複数の送受信機を備えてよい。
【００２７】
ＷＴＲＵ１０２のプロセッサ１１８は、スピーカ／マイクロホン１２４、キーパッド１２６、および／または、表示装置／タッチパッド１２８（例えば液晶表示装置（ＬＣＤ）表示ユニットもしくは有機発光ダイオード（ＯＬＥＤ）表示ユニット）に結合されてよく、これらからユーザ入力データを受け取ることができる。プロセッサ１１８はまた、スピーカ／マイクロホン１２４、キーパッド１２６、および／または、表示装置／タッチパッド１２８にユーザデータを出力することができる。加えて、プロセッサ１１８は、取外し不可能メモリ１０６および／または取外し可能メモリ１３２など、任意のタイプの適切なメモリからの情報にアクセスすることができ、またこのようなメモリにデータを記憶することができる。取外し不可能メモリ１０６は、ランダムアクセスメモリ（ＲＡＭ）、読取専用メモリ（ＲＯＭ）、ハードディスク、または任意の他のタイプのメモリ記憶デバイスを含んでよい。取外し可能メモリ１３２は、加入者識別モジュール（ＳＩＭ）カード、メモリスティック、セキュアディジタル（ＳＤ）メモリカードなどを含んでよい。他の実施形態では、プロセッサ１１８は、サーバまたはホームコンピュータ（図示せず）上のメモリなど、ＷＴＲＵ１０２上に物理的に位置しないメモリからの情報にアクセスすることができ、またこのようなメモリにデータを記憶することができる。
【００２８】
プロセッサ１１８は、電源１３４から電力を受け取ることができ、ＷＴＲＵ１０２中の他のコンポーネントへの電力を分配および／または制御するように構成されてよい。電源１３４は、ＷＴＲＵ１０２に電源供給するための任意の適切なデバイスとすることができる。例えば、電源１３４は、１つまたは複数の乾電池（例えばニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含んでよい。
【００２９】
プロセッサ１１８はＧＰＳチップセット１３６にも結合されてよく、ＧＰＳチップセット１３６は、ＷＴＲＵ１０２の現在位置に関する位置情報（例えば経度および緯度）を提供するように構成されてよい。ＧＰＳチップセット１３６からの情報に加えてまたはそれに代えて、ＷＴＲＵ１０２は、エアインタフェース１１６を介して基地局（例えば基地局１１４ａ、１１４ｂ）から位置情報を受信することができ、かつ／または、２つもしくは複数の近隣基地局から受信される信号のタイミングに基づいてＷＴＲＵ１０２の位置を決定することができる。ＷＴＲＵ１０２が、一実施形態との整合性を保ったまま任意の適切な位置決定方法によって位置情報を取得できることは理解されるであろう。
【００３０】
プロセッサ１１８はさらに、他の周辺装置１３８に結合されてよく、他の周辺装置１３８は、追加の特徴、機能、および／または、有線もしくはワイヤレス接続性を提供する、１つまたは複数のソフトウェアおよび／またはハードウェアモジュールを備えてよい。例えば、周辺装置１３８は、加速度計、電子コンパス、衛星送受信機、ディジタルカメラ（写真またはビデオ用）、ＵＳＢ（Ｕｎｉｖｅｒｓａｌ  Ｓｅｒｉａｌ  Ｂｕｓ）ポート、振動デバイス、テレビジョン送受信機、ハンズフリーヘッドセット、Ｂｌｕｅｔｏｏｔｈ（登録商標）モジュール、周波数変調（ＦＭ）無線ユニット、ディジタル音楽プレーヤ、メディアプレーヤ、ビデオゲームプレーヤモジュール、インターネットブラウザなどを含んでよい。
【００３１】
図１Ｃは、一実施形態によるＲＡＮ１０４およびコアネットワーク１０６のシステム図である。述べたように、ＲＡＮ１０４は、Ｅ−ＵＴＲＡ無線技術を採用して、エアインタフェース１１６を介してＷＴＲＵ１０２ａ、１０２ｂ、および１０２ｃと通信することができる。ＲＡＮ１０４はまた、コアネットワーク１０６と通信することができる。
【００３２】
ＲＡＮ１０４は、ｅノードＢ１４０ａ、１４０ｂ、１４０ｃを含んでよいが、ＲＡＮ１０４は、一実施形態との整合性を保ったまま任意の数のｅノードＢを含んでよいことは理解されるであろう。ｅノードＢ１４０ａ、１４０ｂ、１４０ｃはそれぞれ、エアインタフェース１１６を介してＷＴＲＵ１０２ａ、１０２ｂ、１０２ｃと通信するために、１つまたは複数の送受信機を備えてよい。一実施形態では、ｅノードＢ１４０ａ、１４０ｂ、１４０ｃは、ＭＩＭＯ技術を実装することができる。したがって、例えばｅノードＢ１４０ａは、複数のアンテナを使用して、ＷＴＲＵ１０２ａにワイヤレス信号を送信しＷＴＲＵ１０２ａからワイヤレス信号を受信することができる。
【００３３】
ｅノードＢ１４０ａ、１４０ｂ、１４０ｃはそれぞれ、特定のセル（図示せず）に関連してよく、無線リソース管理決定、ハンドオーバ決定、アップリンクおよび／またはダウンリンクにおけるユーザのスケジューリングなどを扱うように構成されてよい。図１Ｃに示すように、ｅノードＢ１４０ａ、１４０ｂ、１４０ｃは、Ｘ２インタフェースを介して相互と通信することができる。
【００３４】
図１Ｃに示すコアネットワーク１０６は、移動性管理ゲートウェイ（ＭＭＥ）１４２、サービングゲートウェイ１４４、およびパケットデータネットワーク（ＰＤＮ）ゲートウェイ１４６を備えてよい。上記の各要素はコアネットワーク１０６の一部として描かれているが、これらの要素のいずれか１つがコアネットワークオペレータ以外のエンティティによって所有および／または運営されてもよいことは理解されるであろう。
【００３５】
ＭＭＥ１４２は、Ｓ１インタフェースを介してＲＡＮ１０４中のｅノードＢ１４２ａ、１４２ｂ、１４２ｃそれぞれに接続されてよく、制御ノードとしての働きをすることができる。例えば、ＭＭＥ１４２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃが最初に帰属する間に特定のサービングゲートウェイを選択することなどを担うことができる。ＭＭＥ１４２はまた、ＲＡＮ１０４と、ＧＳＭやＷＣＤＭＡなど他の無線技術を採用する他のＲＡＮ（図示せず）との間で切り替えるための制御プレーン機能を提供することができる。
【００３６】
サービングゲートウェイ１４４は、Ｓ１インタフェースを介して、ＲＡＮ１０４中のｅノードＢ１４０ａ、１４０ｂ、１４０ｃそれぞれに接続されてよい。サービングゲートウェイ１４４は一般に、ＷＴＲＵ１０２ａ、１０２ｂ、１０２ｃとの間でユーザデータパケットをルーティングおよび転送することができる。サービングゲートウェイ１４４はまた、ｅノードＢ間のハンドオーバ中にユーザプレーンをつなぎ留めること、ＷＴＲＵ１０２ａ、１０２ｂ、１０２ｃにダウンリンクデータが利用可能なときにページングをトリガすること、ＷＴＲＵ１０２ａ、１０２ｂ、１０２ｃのコンテキストを管理および記憶することなど、他の機能を実施することもできる。
【００３７】
サービングゲートウェイ１４４はまた、ＰＤＮゲートウェイ１４６に接続されてよく、ＰＤＮゲートウェイ１４６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００３８】
コアネットワーク１０６は、他のネットワークとの通信を容易にすることができる。例えば、コアネットワーク１０６は、ＰＳＴＮ１０８などの回路交換ネットワークへのアクセスをＷＴＲＵ１０２ａ、１０２ｂ、１０２ｃに提供して、ＷＴＲＵ１０２ａ、１０２ｂ、１０２ｃと従来型の陸線通信デバイスとの間の通信を容易にすることができる。例えば、コアネットワーク１０６は、コアネットワーク１０６とＰＳＴＮ１０８との間のインタフェースとしての働きをするＩＰゲートウェイ（例えばＩＰマルチメディアサブシステム（ＩＭＳ）サーバ）を含むか、またはそれと通信することができる。加えて、コアネットワーク１０６は、他のサービスプロバイダによって所有および／または運営される他の有線またはワイヤレスネットワークを含み得るネットワーク１１２へのアクセスを、ＷＴＲＵ１０２ａ、１０２ｂ、１０２ｃに提供することができる。
【００３９】
ネットワークは、専用の無線リソース制御（ＲＲＣ）シグナリングを通して、測定構成をＷＴＲＵに提供することができる。測定構成は以下を含んでよい。すなわち、例えばＬＴＥシステムにおいては周波数内／周波数間測定のための単一の周波数に対応し得る、測定オブジェクト；報告基準および関連する報告フォーマットのリストに対応し得る報告構成；１つの測定オブジェクトを１つの報告構成と共にリンクする識別のリストに対応し得る測定識別；１つの測定タイプもしくはおそらく複数の測定タイプに関するイベントおよび報告に適用するための、測定量（例えばしきい値とすることができる）および／または関連するフィルタリングに対応し得る、数量構成；ならびに、１つまたは複数の測定ギャップ構成である。
【００４０】
例えばＥ−ＵＴＲＡＮ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）Ｔｅｒｒｅｓｔｒｉａｌ  Ｒａｄｉｏ  Ａｃｃｅｓｓ  Ｎｅｔｗｏｒｋ）では、単一の測定オブジェクトを搬送波周波数ベースで構成することができる。概念上は、例えば、オブジェクトをテーブルに記憶することができ、追加、除去、およびテーブル修正のための種々の操作を定義することができる。
【００４１】
例として、少なくとも１つの測定識別を、単一の対（例えば、１つの報告構成に対する少なくとも１つの測定オブジェクト）に関連付けることができる。この例では、イベント報告構成は、１つのイベントと、１つのヒステリシスパラメータと、トリガタイプのイベントの場合の、トリガまでの時間との組合せを含んでよい。ＷＴＲＵは、同じイベントの複数のインスタンスを用いて構成されてよい。これにより、異なる測定識別を使用したリンク付けによって、異なる測定オブジェクトに対して（異なる周波数に対してなど）同じ報告構成（同じトリガなど）を再使用するためのフレキシビリティをもたらすことができる。このことは、異なる測定識別を使用して、同じ測定オブジェクト（周波数など）を異なる報告構成（複数のトリガなど）にリンクできることを含意することができる。
【００４２】
キャリアアグリゲーションを採用するＷＴＲＵに既存の測定フレームワークを適用しようとするとき、問題が生じることがある。ある問題は、ネットワークが、コンポーネントキャリアの構成解除を管理する目的で、複数の測定オブジェクト（１周波数につき１つ）を構成する場合があり、各測定オブジェクトが１つの報告構成および１つの測定識別を含むことであろう。
【００４３】
種々の周波数の場合など、種々の測定オブジェクトと共に同様のまたは同一の報告構成を使用する結果、測定報告の複数の送信がほぼ同時に行われることがある。複数の搬送波で動作しているときの、測定構成による追加のシグナリングオーバヘッドを最小限に抑える方法が企図されるが、例えばこのような方法の結果、測定報告をより少なくすることができる。
【００４４】
実施形態は、単一の搬送波または複数の搬送波で動作するＷＴＲＵについて、ある搬送波から受信される信号の品質および／またはレベルが、おそらく急速に、劣化する場合があることを企図する。これは例えば、ＷＴＲＵが、この搬送波のカバレッジの外に出つつあるであろうとき、または同じ周波数上の干渉するホームセルもしくはフェムトセルに近づきつつあるであろうときなど、種々の理由で生じることがある。当該の搬送波がネットワークへの接続に関して特別な役割を有し得る場合、例えば当該の搬送波が既存の方法における特別なセルまたは１次サービングセルに対応する場合は、ネットワークへの接続性の損失が発生することがある。これを防止するために、ネットワークは、搬送波からの信号品質が許容可能であり得る搬送波に１次サービングセルが対応するように、ＷＴＲＵを再構成することができる。このような再構成では、ＷＴＲＵが搬送波の品質の損失を測定できる後の、かつ／またはＷＴＲＵが１次サービングセルに対応する搬送波の品質の損失の通知を受けることができる後の十分に早い段階で、ネットワークが他の搬送波の品質に関する情報を有する必要があるであろう。
【００４５】
ＷＴＲＵは、おそらくは１次サービングセルの信号品質および／または信号強度がしきい値を下回りつつあることを検出すると、このセルと同じ周波数上のセルに関係する測定結果を報告することができる。したがって、おそらくは別のイベントが独立して同時にトリガされたことにならない限り、または他の周波数の１つについて定期的な報告がほぼ同時に送信されたことにならない限り、ネットワークは、他の周波数上では、他のセルに関する情報をすぐには取得しない場合がある。この遅延の結果、ＷＴＲＵは、ネットワークへの接続を、再構成によって回避できたかもしれないにもかかわらず失うことがある。
【００４６】
同様の問題は、ハンドオーバコマンドに含まれ得る複数のコンポーネントキャリア（ＣＣ）上のセルの構成のせいで生じることがある。ネットワークは、おそらくは測定イベント報告をトリガしたであろう搬送波を除いては、ターゲット基地局上の他の搬送波上では最も直近の測定結果を有さない場合がある。
【００４７】
実施形態は、おそらくは要件に基づいて、複数の搬送波で動作できるであろうＷＴＲＵの構成からいつサービングセルを追加または除去するかをネットワークが決定できることを企図する。おそらく種々の利用可能な搬送波周波数間でカバレッジエリアが異なる場合があるシナリオでは特に、このような決定における少なくとも１つの要因は、これらの搬送波から取られる測定値であろう。このようなシナリオでは、実現可能な場合、測定結果は適切な時点で利用可能とすることができる。
【００４８】
例えば、構成される搬送波の少なくとも１つが１つまたは複数のしきい値を下回った場合に、構成される搬送波のうちの１つの品質の劣化を報告するための測定イベントが存在しない場合がある。図２に、この問題の少なくとも１つの概観を見ることができる。図２の例に示すように、近傍のコンポーネントキャリア（ＣＣ）の信号品質がしきい値よりも高くなる（または上回る）であろうとき、ＷＴＲＵは、高データレートを必要としないことがあり、したがって単一の搬送波で動作し続けることができる。また、その後、ＷＴＲＵがより高いデータレートを必要とすることがあるとき、ネットワークは、近傍のコンポーネントキャリア（ＣＣ）の信号品質が依然として再構成されるに十分に良い品質であり得るどうかがわからないことがある。これは少なくとも、近傍のコンポーネントキャリア（ＣＣ）がしきい値よりも低くなる（または下回る）であろうことを報告するための測定イベントが存在しない場合があるからである。
【００４９】
周波数間ハンドオーバまたは再確立における測定識別を扱うための通常の手順を、ＷＴＲＵがソース構成中とターゲット構成中のいずれかの複数の搬送波で動作するシナリオに直接当てはめることはできない。例えば、ある問題は、１つまたは複数のイベントに対応する測定識別（ＭｅａｓＩｄ）ごとの測定オブジェクト（ＭｅａｓＯｂｊｅｃｔ）のスワッピングの結果、いくつかの搬送波上では無意味な構成となる場合があることであろう。これは例えば、ソース構成中の１次コンポーネントキャリア（ＰＣＣ）に対応する周波数がターゲット構成中の構成されるＣＣではないことがあり、ターゲット構成中のＰＣＣに対応する周波数がソース構成中の構成されるＣＣ（すなわち２次コンポーネントキャリア（ＳＣＣ））であることがあるときに、生じる場合がある。このようなシナリオでは、測定オブジェクトのスワッピングの結果、サービングセルがないであろう周波数上で、「サービングセルがしきい値よりも高くなる」などの無意味なイベントが生じる場合がある。これらのような無意味なイベントの結果、例えば、いくつかの周波数上で不要な測定が行われる場合がある。
【００５０】
同様の問題は、ある周波数が、ＳＣＣとしてソース構成の一部だが、ターゲット構成の一部ではないことがある場合の再構成で生じることがある。このような場合、当該のｍｅａｓＯｂｊｅｃｔがどんなスワッピングにも関係しないであろうと仮定すると、ターゲット構成中では無意味なイベントとなることがある。
【００５１】
実施形態は、「Ｓ−Ｍｅａｓｕｒｅ」パラメータを使用してＷＴＲＵを構成できることを企図する。「ｓ−Ｍｅａｓｕｒｅ」パラメータは、例えば、ＷＴＲＵが、周波数内、周波数間、およびＲＡＴ間の近傍セルの測定を実施することができるかどうか、またはおそらくは実施することが必要とされるかどうかを制御できる、サービングセルについての品質しきい値とすることができる。例として、複数搬送波対応のＷＴＲＵは、１次サービングセル上の信号強度が何らかの構成されたｓ−Ｍｅａｓｕｒｅよりも高いであろう限り、構成されない周波数上での測定をしないものとすることができる。これにより、ネットワークがこのＷＴＲＵについて追加のＣＣを最終的に構成しないようにすることができる。
【００５２】
測定構成は、２つ以上のコンポーネントキャリアまたは周波数の場合など、複数の測定オブジェクトを含む場合がある。１つまたは複数の方法を使用して、ＷＴＲＵが短期間に複数の測定報告を生成して送信する可能性を最小限に抑えることができる。これは、限定ではなく例として、測定識別に基づいて測定をグループ化することによって達成することができる。これは、測定報告の送信を開始するためのトリガ条件を律するロジックを適用することによって達成することができる。
【００５３】
別法として、ＷＴＲＵが短期間に複数の測定報告を生成して送信する可能性を最小限に抑えることはまた、１つまたは複数の様々なタイプの報告の送信を開始することによっても達成することができる。例えば、これらのタイプの少なくとも１つは、イベントがトリガされた１つまたは複数の測定のみの報告とすることができる。別のタイプは、測定グループの全ての測定についての報告とすることができる。別のタイプは、複数の、おそらくは同時の報告であり、各報告が単一の測定オブジェクトに関係する測定結果を含むものとすることができる。この後者のタイプは、複数の報告をほぼ同時に送信することとは異なるものとすることができ、またいくつかのシナリオではそれに勝る利点を有することができる。というのは、１つの送信時間間隔（ＴＴＩ）で報告を送信することになるであろうためである。この結果として一般に、種々のＴＴＩで送信された場合よりもオーバヘッドを低くすることができる。
【００５４】
１つまたは複数の測定オブジェクト（ｍｅａｓＯｂｊｅｃｔ）（例えば周波数）を１つの報告構成に関連付ける測定識別（ｍｅａｓＩＤ）を、定義することができる。報告構成は、基準および報告フォーマットの、リストを含んでよい。
【００５５】
実施形態は、複数搬送波による動作の実現が以下のとおりであってよいことを企図する。すなわち、測定のグループを表す１つの新しいパラメータ（ｍｅａｓＧｒｏｕｐＩＤ）によって、測定識別を追加的に構成することができ、このパラメータ自体は、測定のグループに適用されるトリガ機能を示すタイプ（ｍｅａｓＧｒｏｕｐＴｙｐｅ）に関連してよい。
【００５６】
関連するトリガ機能は、いくつかのタイプのうちの１つとすることができる。少なくとも１つのタイプのトリガ機能は、デフォルトトリガ機能と呼ぶことができる。測定グループに属する測定オブジェクトに属する構成されたイベントのいずれか１つが報告基準を満たすことができるとき、ＷＴＲＵは、おそらくは即座にまたは所定の遅延を伴って、この測定グループについての測定報告を送信するための１つまたは複数の手順を開始することができる。
【００５７】
少なくとも１つのタイプのトリガ機能は、ウィンドウベーストリガ機能と呼ぶことができる。測定グループの測定オブジェクトに属する構成されたイベントのいずれか１つが報告基準を満たすことができるときであって、この測定グループについての保留中の測定報告がない場合、ＷＴＲＵは、この測定報告が保留中であると考えることができ、いくらかの期間（すなわちウィンドウ時間）にわたって待機することができる。この期間が終了し、少なくとも１つの保留中の測定報告があると、ＷＴＲＵは、この測定グループについての測定報告を送信する手順を開始することができる。ウィンドウのサイズは、固定値であってもよく、またはネットワークによって構成されてもよい。構成することは、例えば、無線リソース制御（ＲＲＣ）などのレイヤ３（Ｌ３）シグナリングを使用して実施することができる。
【００５８】
実施形態は、少なくとも１つのタイプのトリガ機能を、累積ウィンドウベーストリガ機能と呼ぶことができることを企図する。測定グループの測定オブジェクトに属する構成されたイベントのいずれか１つが報告基準を満たすことができるときであって、この測定グループについての保留中の測定報告がないであろう場合、ＷＴＲＵは、この測定報告が保留中であろうと考えることができ、いくらかの期間（例えばウィンドウ時間）にわたって待機することができる。この期間が終了することができ、測定グループの各測定オブジェクトに対するイベント基準を満たすことができると、ＷＴＲＵは、この測定グループについての測定報告を送信する１つまたは複数の手順を開始することができる。ウィンドウのサイズは、固定値であってもよく、または例えばネットワークによって構成されてもよい。限定ではなく例として、構成することは、ＲＲＣなどのＬ３シグナリングを使用して実施することができる。
【００５９】
実施形態はまた、少なくとも１つのタイプのトリガ機能を、禁止トリガ機能と呼ぶことができることを企図する。測定グループに属する測定オブジェクトに属する構成されたイベントのいずれか１つが報告基準を満たすことができるとき、ＷＴＲＵは、この測定グループについての報告が送信されてから、禁止タイマによって決定される量などの特定時間量が経過していない場合に、このイベントを無視することができる。時間量は、固定値であってもよく、または例えばネットワークによって構成されてもよい。限定ではなく例として、構成することは、ＲＲＣなどのＬ３シグナリングを使用して実施することができる。
【００６０】
実施形態は、少なくとも１つのタイプのトリガ機能を、カスケード式トリガまで時間（ｃａｓｃａｄｅｄ  ｔｉｍｅ−ｔｏ−ｔｒｉｇｇｅｒ）トリガ機能と呼ぶことができることを企図する。例えば、ＷＴＲＵが測定報告の送信を開始できるまでの遅延、すなわちトリガまで時間として、時間Ｔｘを定義することができる。測定グループ中の測定オブジェクトに属する構成されたイベントのいずれか１つが報告基準を満たすとき、ＷＴＲＵは、例えば、値Ｔ１に対応する第１のタイマを開始することができる。Ｔ１が失効し得る前に、ＷＴＲＵは、測定グループのうち第２のタイマＴ２で構成できる他の測定オブジェクトの評価を完了することができ、例えばＴ２はＴ１よりも小さくてよい。時間Ｔ１の失効時、ＷＴＲＵは、イベント基準を満たす測定についての量を、同じ測定報告送信において報告することができる。
【００６１】
それぞれのＴｘの各値は、例えばＴ１およびＴ２が測定機会の倍数となることができるように、固定値であってもよく、または、例えばＲＲＣなどのＬ３シグナリングを使用してネットワークによって構成されてもよい。これにより、トリガまで時間タイマに入るための種々の測定の変動を低減することができる。
【００６２】
実施形態は、イベントがトリガされた１つまたは複数の測定のみを報告できるか否かを示すためのパラメータを含めることができることを企図する。例えば、このパラメータが真であろう場合は、ＷＴＲＵは、測定グループのいくつかまたは全ての測定オブジェクトについての量を、測定報告の送信に含めることができる。このパラメータが真でないであろう場合は、ＷＴＲＵは、イベント基準を満たすことのできた測定オブジェクトについての量のみを、報告することができる。このパラメータは、例えばａｌｌＲｅｐｏｒｔｓＩｎＧｒｏｕｐＥｎａｂｌｅｄパラメータとすることができる。
【００６３】
実施形態は、搬送波からの信号品質が急速に劣化し得るとき、または複数の搬送波を含むターゲットセルへのハンドオーバが必要とされ得るときに、１つまたは複数の問題が生じる場合があることを企図する。このような例における搬送波は、１次サービングセルまたは「Ｐセル」に対応する場合がある。
【００６４】
開示する例において、用語「メトリック」は、例えば、かつ一般性を失うことなく、ＬＴＥシステムの場合の基準信号受信品質（ＲＳＲＱ）などの受信信号品質と、ＬＴＥシステムの場合の基準信号受信電力（ＲＳＲＰ）などの受信信号強度とのいずれかなどの、品質測定値に対応することができる。測定メトリックの選択は、周波数ごとに構成可能とすることができる。例えば、第１の周波数にはＲＳＲＰを使用し、第２の周波数にはＲＳＲＱを使用する、またはその逆とすることができる。
【００６５】
ＷＴＲＵが複数の搬送波で動作していることができるとき、術語「１次サービングセル」を使用して、ＷＴＲＵが構成され得る特定のまたは一意の搬送波を指すことができる。例えば、この用語は、「特別なセル」、または「１次サービングセル」もしくは「Ｐセル」に対応する搬送波に対応することができる。術語「サービングセル」は、例えば「１次サービングセル」もしくは「Ｐセル」、または「２次サービングセル」もしくは「Ｓセル」である可能性があるが、任意の周波数上の、ＷＴＲＵが構成され得る任意の搬送波を指すのに使用することができる。用語「最良セル」は、ＷＴＲＵ構成の一部であり得る搬送波に対応するかどうかにかかわらず、所与の周波数上で最高のメトリックを有する測定されたセルを指すことができる。別法として、最良セルは、所与の周波数上で最高のメトリックを有することのできる、ＷＴＲＵ構成の一部でないかもしれない測定されたセルを指すのに使用することができる。この術語は、以下の、ＣＣ管理のための例示的な測定イベントに適用することができる。
【００６６】
例えば、実施形態は、あるイベントを、または１組のイベントのうちの１つをトリガできるときに、複数の周波数または他の測定オブジェクトから得られた測定結果を含む測定報告をＷＴＲＵが送ることができることを企図する。このイベントまたは１組のイベントは、再構成を実施する必要があり得ることを示すことができる。別法として、ＷＴＲＵは、あるイベントを、または１組のイベントのうちの１つをトリガできるときに、おそらくは単一の周波数または他の測定オブジェクトから得られた測定結果をそれぞれが含む複数の測定報告を送ることができる。このイベントまたは１組のイベントは、再構成を実施する必要があり得ることを示すことができる。この手法を使用すれば、ネットワークは、即座に、またはおそらくは所定の遅延の後に、再構成の候補となり得る他の周波数上のセルまたは搬送波についての測定結果を得ることができる。
【００６７】
実施形態は、複数の周波数からの測定結果の報告をトリガできるイベントが、例えばいくつかのタイプのうちの１つまたはサブセットであってよいことを企図する。一例は、１次サービングセル上の信号品質の劣化を示すことのできるイベントとすることができ、これは例えば、１次サービングセルメトリックがしきい値を下回るであろうＡ２イベント、または、近傍セルメトリックが１次サービングセルメトリックよりもオフセット分良い（例えば高い）であろうＡ３イベントである。
【００６８】
トリガイベントの別の例は、１次サービングセルを指定周波数上のサービングセルで置き換えることのできる、イベントの拡張とすることができる。例えば、拡張Ａ２イベントでは、特定周波数上のサービングセルメトリックがしきい値を下回るものとすることができる。別の例として、拡張Ａ３イベントでは、近傍セルメトリックが指定周波数上のサービングセルよりもオフセット分良いものとすることができる。例として、句「オフセット分良い」は、より高いまたはより大きいことを意味するものと理解することができる。また例として、表現「ＡはＢよりもオフセット分良い」は、Ａのメトリックが、値「オフセット」だけＢのメトリックよりも大きいものとして理解することができる。
【００６９】
トリガイベントの別の例は、第２のサービングセル上の信号品質がしきい値よりも高いままでありながら、第１のサービングセル上の信号品質の劣化を示すイベントとすることができる。例えば、１次サービングセルメトリックが第１のしきい値を下回り、特定周波数上のサービングセルメトリックが第２のしきい値よりも高いままである場合がある。別の例では、特定周波数上のサービングセルメトリックが第１のしきい値を下回り、別の特定周波数上のサービングセルメトリックが第２のしきい値よりも高いままである場合がある。さらに別の例では、近傍セルメトリックが１次サービングセルよりもオフセット分良くなり、特定周波数上のサービングセルメトリックが第２のしきい値よりも高いままである場合がある。別法として、近傍セルメトリックが特定周波数上のサービングセルよりもオフセット分良くなり、別の特定周波数上のサービングセルメトリックが第２のしきい値よりも高いままである場合がある。
【００７０】
トリガイベントの別の例は、前の例の１つまたは複数と同様とすることができるが、特定周波数（または特定の標準周波数）を使用する代わりに、１次サービングセルの周波数以外の、またはイベントに基づく他の標準周波数以外の、事前構成済みの１組の周波数のいずれかを使用することができる。事前構成済みの１組の周波数は、より高いレイヤから提供されてもよく、または、周波数上で動作するようにＷＴＲＵを構成することのできる１組の周波数に対応するものであってもよい。
【００７１】
上記のイベントの１つがトリガされるとＷＴＲＵから送信される測定報告または１組の測定報告は、以下の測定オブジェクトについての測定結果を、別々にまたは組合せで含むことができる。すなわち、１次サービングセルに対応する周波数についての測定オブジェクト；ＷＴＲＵが動作していることのできる周波数（例えば構成されるＳセルを含む周波数）に対応する、測定構成の測定オブジェクトの全てもしくはサブセット；サービングセルメトリックがしきい値よりも高いであろう、ＷＴＲＵが動作していることのできる周波数に対応する、測定構成の測定オブジェクトの全てもしくはサブセット；最も強いセルメトリックがしきい値よりも高いであろう測定オブジェクトの全てもしくはサブセット；上記のイベントのどれがトリガされたであろうかにかかわらず、ＷＴＲＵの測定構成に含まれる測定オブジェクトの全てもしくはサブセット；または、報告をトリガしたイベントの評価において使用されたであろう測定オブジェクトの全てもしくはサブセットである。測定オブジェクトは、１つのタイプの測定オブジェクト（例えばｍｅａｓＯｂｊｅｃｔＥＵＴＲＡ、ｍｅａｓＯｂｊｅｃｔＵＴＲＡ、ｍｅａｓＯｂｊｅｃｔＧＥＲＡＮ、またはｍｅａｓＯｂｊｅｃｔＣＤＭＡ２０００）を指すことができる。
【００７２】
測定オブジェクトのサブセットのみを報告できる場合、以下の１つまたは複数を使用して測定オブジェクトの数を決定することができる。すなわち、総計Ｋ個までの測定オブジェクト；構成されるＳセルを含む搬送波に対応するＮ個までの測定オブジェクト；または、構成されるＳセルを含まない搬送波に対応するＭ個までの測定オブジェクトである。次いで、Ｃ個までのセルの測定結果を報告することができる。Ｎ、Ｍ、Ｃ、およびＫは、事前定義済みであってもよく、またはより高いレイヤによってシグナリングされてもよい。
【００７３】
実施形態は、測定が利用可能なオブジェクトの数と比較してより少ない数のオブジェクトを選択できるとき、以下の規則の１つもしくは複数または組合せを使用してオブジェクトのサブセットを選択できることを企図する。すなわち、規則１−それらの最高ランクのセルについて最高（または最良）メトリック（ＲＳＲＰ／ＲＳＲＱ）を有するであろうオブジェクトを選択すること、および／または、規則２−それらの最高ランクのセルのメトリックがしきい値よりも高いであろうオブジェクトを選択することである。規則２により選択される測定オブジェクトが許容測定オブジェクトの最大数を超えるかもしれない場合は、規則１を適用することができる。
【００７４】
ＷＴＲＵは、測定報告を送って、構成からの搬送波の除去を可能にすることができ、または、搬送波をＷＴＲＵ構成に追加しようと考慮することがもはやできないことをネットワークに通知することができる。ＷＴＲＵは、いくつかのイベントのうちの１つが発生したとき、例えば搬送波上の信号強度または品質が適切な動作のためには低くなりすぎるかもしれないときに、測定報告を送ることができる。他の例としては、測定オブジェクトに関するサービング搬送波メトリックが絶対しきい値を下回るとき、または、測定オブジェクトに関する最良セルのメトリックが絶対しきい値を下回り得るときを挙げることができる。
【００７５】
以下の例示的なイベントを使用して、搬送波をＷＴＲＵ構成から除去できる状況、または、別の搬送波と比較したこの搬送波の相対的な品質が低くなりすぎるかもしれないためにこの搬送波をＷＴＲＵ構成に追加しようと考慮することがもはやできない状況を検出することができる。これらの例としては、測定オブジェクトに関するサービングセルメトリックが１次サービングセルよりもオフセット分悪く（例えば低く）なり得ること；測定オブジェクトに関する最良セルのメトリックが１次サービングセルよりもオフセット分悪くなり得ること；第１の測定オブジェクトに関するサービングセルメトリックが第２の測定オブジェクトに関するサービングセルメトリックよりもオフセット分悪くなり得ること；または、第１の測定オブジェクトに関する最良セルメトリックが第２の測定オブジェクトに関するサービングセルメトリックよりもオフセット分悪くなり得ることが挙げられるが、これらに限定されない。これらのイベントの使用は、例えば、ＷＴＲＵの測定構成の一部としてネットワークによって構成されてよい。
【００７６】
実施形態は、ターゲットセル中の複数搬送波へのハンドオーバをサポートする問題、ならびに／または、追加の搬送波の構成および解放を管理する問題に対処するために、オンデマンド測定を導入できることを企図する。ネットワークは、その関心のあるセルに関する測定を、メッセージ中で、例えばオンデマンド測定要求中で要求することができ、または、拡張メッセージ中にフィールドを設定することによって要求することができる。メッセージは、図３に示すように無線リソース制御（ＲＲＣ）レイヤにおいて、媒体アクセス制御（ＭＡＣ）レイヤにおいて、または物理（ＰＨＹ）レイヤにおいて送信することができる。ＷＴＲＵは、このメッセージを受信すると、指示された搬送波周波数または測定オブジェクトについての測定報告を送ることができる。
【００７７】
以下の例では、以下の術語を使用することができる。「ソース構成」は、再構成または再確立手順の前のＷＴＲＵのＲＲＣ構成を指すことができる。「ターゲット構成」は、再構成または再確立手順に成功できた場合の、この手順の後のＷＴＲＵのＲＲＣ構成を指すことができる。「Ｐセル」は、１次コンポーネントキャリア（ＰＣＣ）上のサービングセルを指すことができる。「Ｓセル」は、２次コンポーネントキャリア（ＳＣＣ）上のサービングセルを指すことができる。「Ｓセル参照イベント（Ｓｃｅｌｌ−ｒｅｆｅｒｒｅｄ  Ｅｖｅｎｔ）」は、サービングセル参照がＳセルであり得る、Ａ１やＡ２（ただしこれらに限定されない）などの測定イベントを指すことができる。実施形態は、Ａ１が、サービングセルがしきい値よりもよくなり得ることを意味することができ、Ａ２が、サービングセルがしきい値よりも悪くなり得ることを意味することができることを企図する。本開示の全体を通して提示する全ての用語および付随する定義は、例示のためのものであり、本開示との一貫性のある他の用語を妥当に使用することもできる。
【００７８】
以下の例を使用して、ＷＴＲＵが任意のタイプの再構成に備えてその測定構成を再構成するのを可能にすることができる。以下の条件のサブセットの少なくとも１つを満たすことができるとき、ＷＴＲＵは、測定構成手順を実施する前に、ＲＲＣ再構成手順またはＲＲ再確立手順の間にＷＴＲＵの測定構成からｍｅａｓＩｄを除去することができる。ｍｅａｓＩｄを除去するための条件は、ａ）ｍｅａｓＩｄが、ソース構成中のＳＣＣに対応するｍｅａｓＯｂｊｅｃｔにリンクされるとき；ｂ）ｍｅａｓＩｄが、ソース構成中のＳＣＣには対応するがターゲット構成中のＳＣＣには対応しないｍｅａｓＯｂｊｅｃｔにリンクされるとき；ｃ）ｍｅａｓＩｄが、ソース構成中のＳＣＣには対応するがターゲット構成中のＳＣＣもしくはＰＣＣには対応しないｍｅａｓＯｂｊｅｃｔにリンクされるとき；ｄ）ｍｅａｓＩｄが、ソース構成中のＳＣＣに対応するｍｅａｓＯｂｊｅｃｔにリンクされ、ターゲット構成中のＳセルがソース構成中のＳセルと同一でないとき；ｅ）ｍｅａｓＩｄが、Ｓセル参照イベントに対応する報告構成にリンクされるとき；ｆ）ｍａｓＩｄが、Ｓセル参照イベントに対応する報告構成にリンクされるときであって、（ａ）が真であることを条件としたとき；ｇ）ｍｅａｓＩｄが、Ｓセル参照イベントに対応する報告構成にリンクされるときであって、（ｂ）が真であることを条件としたとき；ｈ）ｍａｓＩｄが、Ｓセル参照イベントに対応する報告構成にリンクされるときであって、（ｃ）が真であることを条件としたとき；ｉ）ｍａｓＩｄが、Ｓセル参照イベントに対応する報告構成にリンクされるときであって、（ｄ）が真であることを条件としたとき；ｊ）ｍｅａｓＩｄが、ソース構成中の構成されないＣＣに対応するｍｅａｓＯｂｊｅｃｔにリンクされるとき；ｋ）ｍｅａｓＩｄが、ターゲット構成中の構成されないＣＣに対応するｍｅａｓＩｄにリンクされるとき；および／または、ｌ）ｍｅａｓＩｄが、ソース構成中の構成されないＣＣに対応するがターゲット構成中のＳＣＣもしくはＰＣＣに対応するｍｅａｓＯｂｊｅｃｔにリンクされるとき、を含んでよいが、これらに限定されない。
【００７９】
実施形態は、以下の追加の条件のサブセットの少なくとも１つを満たすことができる場合に、上記の条件の１つを満たすことができるときの測定識別（ｍｅａｓＩｄ）の除去を行うことができる（または、おそらくいくつかの実施形態では除去を行うことだけができる）ことを企図する。すなわち、ｍ）ｍｅａｓＩｄが、以下の段落で述べる実施形態の１つまたは複数に従って異なるｍｅａｓＯｂｊｅｃｔにリンクされるように修正される場合、または、ｎ）ソース構成中のＰＣＣ周波数がターゲット構成中のＰＣＣ周波数と異なる場合、例えば周波数間ハンドオーバの場合である。
【００８０】
以下の例を使用して、ＷＴＲＵが複数搬送波動作におけるＰＣＣ周波数の変化を伴う再構成に備えてＷＴＲＵの測定構成を再構成するのを可能にすることができる。第１のｍｅａｓＯｂｊｅｃｔにすでにリンクされていてよいｍｅａｓＩｄの場合、ＷＴＲＵは、例えば、測定構成手順を実施する前に、ＲＲＣ再構成手順および／またはＲＲＣ再確立手順の間にこのｍｅａｓＩｄを代わりに第２のｍｅａｓＯｂｊｅｃｔにリンクできるように、このｍｅａｓＩｄを修正することができる。これは、第２のｍｅａｓＯｂｊｅｃｔがすでにＷＴＲＵの測定構成の一部であり得るときであって、以下の条件のサブセットの少なくとも１つを満たすことができるときに、行うことができる。すなわち、ｏ）第１のｍｅａｓＯｂｊｅｃｔが、ソース構成中のＰＣＣに対応し、第２のｍｅａｓＯｂｊｅｃｔが、ターゲット構成中のＰＣＣに対応し、ｍｅａｓＩｄが、Ｓセル参照イベントに対応しない報告構成にリンクされ得ること；ｐ）第１のｍｅａｓＯｂｊｅｃｔが、ターゲット構成中のＰＣＣおよびソース構成中のＳＣＣに対応し、第２のｍｅａｓＯｂｊｅｃｔが、ソース構成中のＰＣＣおよび／もしくはターゲット構成中のＳＣＣに対応すること；または、第１のｍｅａｓＯｂｊｅｃｔが、ターゲット構成中のＰＣＣおよび／もしくはソース構成中の構成されないＣＣに対応し、第２のｍｅａｓＯｂｊｅｃｔが、ソース構成中のＰＣＣおよび／もしくはターゲット構成中の構成されないＣＣに対応することである。
【００８１】
実施形態は、構成されない周波数に対するｓ−Ｍｅａｓｕｒｅの条件付き使用を用いて測定を実施できることを企図する。例えば、ＷＴＲＵは、以下の条件の少なくとも１つが満たされた場合に、ｓ−Ｍｅａｓｕｒｅの構成にかかわらず、少なくとも１つのｍｅａｓＩｄが対応ｍｅａｓＯｂｊｅｃｔにリンクされ得る構成されない周波数上で測定することができる。条件は、ＷＴＲＵが、この構成されない周波数上での測定のためにそのように挙動する指示をＷＴＲＵの測定構成から受け取ったとき；複数搬送波対応のＷＴＲＵが、ＷＴＲＵの構成において少なくとも１つのＣＣを追加することができるとき；および／または、ＷＴＲＵが、測定ギャップを使用せずにこの構成されない周波数上で測定することができるときを含んでよいが、これらに限定されない。
【００８２】
図４に、例示的な一実施形態を示す。図４に描くように、４０２で、ワイヤレス送受信ユニット（ＷＴＲＵ）は、リソース無線制御（ＲＲＣ）接続状態を決定するように１つまたは複数のプロセッサが少なくとも部分的に構成されてよい。４０４で、ＷＴＲＵは、測定構成を再構成することができる。測定構成の再構成は、測定構成から少なくとも１つのパラメータを除去することを含んでよい。４０６で、ＲＲＣ接続状態を、例えばＲＲＣ接続再確立とＲＲＣ接続再構成とのうちの少なくとも一方として決定することができる。４０８で、ＷＴＲＵは、例えば、ＲＲＣ接続再確立とＲＲＣ接続再構成とのうちの少なくとも一方の間に、測定構成から少なくとも１つのパラメータを除去することができる。別法として、４１０で、ＷＴＲＵは、少なくとも１つの条件に基づいて測定構成から少なくとも１つのパラメータを除去するようにさらに構成されてよい。実施形態は、少なくとも１つのパラメータが、例えばｍｅａｓＩｄパラメータなどの識別パラメータに対応してよいことを企図する。また、第１の条件は、ｍｅａｓＩｄパラメータが例えばＡ１測定イベントとＡ２測定イベントとのうちの少なくとも一方に関連することを含んでよい。４１２で、ＷＴＲＵは、第１の条件と第２の条件との両方に基づいて測定構成から少なくとも１つのパラメータを除去するようにさらに構成されてよい。実施形態は、第２の条件が、例えば、構成されないコンポーネントキャリア（ＣＣ）に対応するｍｅａｓＯｂｊｅｃｔパラメータにｍｅａｓＩｄパラメータが関連することを含んでよいことを企図する。
【００８３】
図５および図５Ａに描くように、実施形態は、１つまたは複数のプロセッサを備えてよいワイヤレス送受信ユニット（ＷＴＲＵ）を企図する。５０２で、測定報告を構成するように、ＷＴＲＵの少なくとも１つのプロセッサ（または単にＷＴＲＵ）を少なくとも部分的に構成することができる。測定報告は、少なくとも１つの基準に基づいて構成されてよい。測定報告は、周波数上で動作するようにＷＴＲＵを構成可能とすることのできる１つまたは複数の周波数に関する測定結果を含んでよい。５０４で、ＷＴＲＵは、測定報告を送信するように構成されてよい。５０６で、測定報告は、おそらくは、その周波数上で動作するようにＷＴＲＵを構成可能とすることのできる、第１の周波数以外の１つまたは複数の周波数に関する測定結果を含んでよい。第１の周波数は、少なくとも１つの条件に関連してよい。５０８で、少なくとも１つの条件は、第１の周波数における第１のセルの信号品質が第１のしきい値よりも低くなることを含んでよい。少なくとも１つの条件はまた、その周波数上で動作するようにＷＴＲＵを構成可能とすることのできる、第１の周波数以外の１つまたは複数の周波数における第２のセルの信号品質が、第２のしきい値よりも高いことを含んでよい。
【００８４】
別法として、５１０で、少なくとも１つの条件は、第１の周波数におけるＷＴＲＵにサービスする第１のセルに関連する第１の品質測定値が、第１のしきい値よりも低くなること、および第２の品質測定値が第２のしきい値よりも高いことを含んでよい。第２の品質測定値は、その周波数上で動作するようにＷＴＲＵを構成可能とすることのできる、第１の周波数以外の１つまたは複数の周波数における第２のセルに関連してよい。
【００８５】
別法として、５１２で、少なくとも１つの条件は、第１の周波数における第１のセルに関連する第１の品質測定値が第１のしきい値よりも低くなること、および第２の品質測定値が第２のしきい値よりも高いことを含んでよい。第２の品質測定値は、その周波数上で動作するようにＷＴＲＵを構成可能とすることのできる、第１の周波数以外の１つまたは複数の周波数における第２のセルに関連してよい。
【００８６】
別の代替的形態では、５１４で、少なくとも１つの条件は、第１の周波数におけるＷＴＲＵにサービスする第１のセルに関連する第１の品質測定値が、第１のセルの近傍の第２のセルに関連する第２の品質測定値よりも低くなることを含んでよい。少なくとも１つの条件はまた、第３の品質測定値がしきい値よりも高いことを含んでよい。第３の品質測定値は、その周波数上で動作するようにＷＴＲＵを構成可能とすることのできる、第１の周波数以外の１つまたは複数の周波数における第３のセルに関連してよい。
【００８７】
やはり別法として、５１６で、少なくとも１つの条件は、第１の周波数における第１のセルに関連する第１の品質測定値が、第１のセルの近傍の第２のセルに関連する第２の品質測定値よりも低くなることを含んでよい。少なくとも１つの条件はまた、第３の測定品質がしきい値よりも高いことを含んでよい。第３の測定品質は、その周波数上で動作するようにＷＴＲＵを構成可能とすることのできる、第１の周波数以外の１つまたは複数の周波数における第３のセルに関連してよい。
【００８８】
次に図６を参照すると、実施形態は、ワイヤレス送受信ユニット（ＷＴＲＵ）が１つまたは複数のプロセッサを備えてよいことを企図する。６０２で、１つまたは複数のセル（またはサービングセル）に関連し得る少なくとも１つの条件を決定するように、ＷＴＲＵの少なくとも１つのプロセッサ（または単にＷＴＲＵ）を少なくとも部分的に構成することができる。ＷＴＲＵは、１つまたは複数のセルのうちの少なくとも１つのセル上で動作するように構成可能とすることができる。６０４で、ＷＴＲＵは、少なくとも１つの条件に基づいて測定報告を送信するように構成されてよい。６０６で、少なくとも１つの条件は、１つまたは複数のセルのうちの少なくとも１つに関連する品質測定値がしきい値よりも低くなることを含むように構成されてよい。実施形態は、しきい値が絶対しきい値であってよいことを企図する。また、品質測定値は、例えば信号強度と信号品質とのうちの少なくとも一方とすることができる。６０８で、ＷＴＲＵは、１つまたは複数の周波数上の１つまたは複数のセルのうちの少なくとも１つのセル上で動作するように構成可能とすることができる。実施形態は、１つまたは複数のセルが、例えば１次サービングセルと２次サービングセルとのうちの少なくとも一方を含んでよいことを企図する。
【００８９】
特徴および要素を特定の組合せで上述しているが、各特徴または要素は、単独で、または他の特徴および要素との任意の組合せで使用できることを、当業者なら理解するであろう。加えて、本明細書に述べた方法は、コンピュータまたはプロセッサによって実行されるようにコンピュータ可読媒体に組み入れられたコンピュータプログラム、ソフトウェア、またはファームウェアにおいて実施することができる。コンピュータ可読媒体の例としては、電子信号（有線またはワイヤレス接続を介して伝送される）およびコンピュータ可読記憶媒体が挙げられる。コンピュータ可読記憶媒体の例としては、読取専用メモリ（ＲＯＭ）、ランダムアクセスメモリ（ＲＡＭ）、レジスタ、キャッシュメモリ、半導体メモリデバイス、内蔵ハードディスクや取外し可能ディスクなどの磁気媒体、光磁気媒体、および、ＣＤ−ＲＯＭディスクやディジタル多用途ディスク（ＤＶＤ）などの光学媒体が挙げられるが、これらに限定されない。ＷＴＲＵ、ＵＥ、端末、基地局、ＲＮＣ、または任意のホストコンピュータ中で使用するための、無線周波数送受信機を、プロセッサをソフトウェアと共に使用して実現することができる。
【図１Ａ】
2013516113.tif 000003
【図１Ｂ】
2013516113.tif 000004
【図１Ｃ】
2013516113.tif 000005
【図２】
2013516113.tif 000006
【図３】
2013516113.tif 000007
【図４】
2013516113.tif 000008
【図５】
2013516113.tif 000009
【図５Ａ】
2013516113.tif 000010
【図６】
2013516113.tif 000011
【手続補正書】
【提出日】平成24年8月23日(2012.8.23)
【手続補正１】
【補正対象書類名】特許請求の範囲
【補正対象項目名】全文
【補正方法】変更
【補正の内容】
【特許請求の範囲】
【請求項１】
プロセッサを備えるワイヤレス送受信ユニット（ＷＴＲＵ）であって、前記プロセッサは、
リソース無線制御（ＲＣＣ）接続状態を決定することであって、前記ＷＴＲＵがソース構成を有すること、及び、
前記ＲＣＣ接続状態がＲＲＣ接続再確立とＲＲＣ接続再構成のうちの少なくとも一方であるという決定に基づいて、及び、しかも第１の条件に基づいて、測定構成を再構成することであって、前記再構成は、第１のパラメータを前記測定構成から少なくとも除去することを含み、及び、前記第１の条件は、前記ソース構成中の構成されないコンポーネントキャリア(ＣＣ)に関連する第２のパラメータを含むこと
を行うように少なくとも部分的に構成されることを特徴とするＷＴＲＵ。
【請求項２】
前記少なくとも第１のパラメータはｍｅａｓＩｄパラメータに対応することを特徴とする請求項１に記載のＷＴＲＵ。
【請求項３】
前記ｍｅａｓＩｄパラメータがＡ１測定イベントとＡ２測定イベントとのうちの少なくとも一方に関連することを特徴とする請求項２に記載のＷＴＲＵ。
【請求項４】
前記第１の条件は、前記第２のパラメータに関連する前記ｍｅａｓＩｄパラメータをさらに含み、前記第２のパラメータがｍｅａｓＯｂｊｅｃｔパラメータであり、前記ｍｅａｓＩｄパラメータがさらに、前記ＷＴＲＵのターゲット構成における構成されたコンホーネントキャリア（ＣＣ）に対応することを特徴とする請求項２に記載のＷＴＲＵ。
【請求項５】
プロセッサを備えるワイヤレス送受信ユニット（ＷＴＲＵ）であって、前記プロセッサは、
少なくとも１つの条件に基づいて測定報告を構成することであって、前記測定報告が、前記ＷＴＲＵをその上で動作するように構成可能な、前記少なくとも１つの条件に関連する第１の周波数以外の１つまたは複数の周波数に関する測定結果を含むこと、及び、
前記測定報告を送信すること
を行うように少なくとも部分的に構成されたことを特徴とするＷＴＲＵ。
【請求項６】
前記少なくとも１つの条件は、前記第１の周波数における第１のセルの信号品質が第１のしきい値よりも低くなること、および、前記第１の周波数以外の前記１つまたは複数の周波数における第２のセルの信号品質が第２のしきい値よりも高いことを含むことを特徴とする請求項５に記載のＷＴＲＵ。
【請求項７】
前記少なくとも１つの条件は、前記第１の周波数における前記ＷＴＲＵにサービスする第１のセルに関連する第１の品質測定値が第１のしきい値よりも低くなること、および第２の品質測定値が第２のしきい値よりも高いことを含み、前記第２の品質測定値は、前記第１の周波数以外の前記１つまたは複数の周波数における第２のセルに関連することを特徴とする請求項５に記載のＷＴＲＵ。
【請求項８】
前記少なくとも１つの条件は、前記第１の周波数における第１のセルに関連する第１の品質測定値が第１のしきい値よりも低くなること、および第２の品質測定値が第２のしきい値よりも高いことを含み、前記第２の品質測定値は、前記第１の周波数以外の前記１つまたは複数の周波数における第２のセルに関連することを特徴とする請求項５に記載のＷＴＲＵ。
【請求項９】
前記少なくとも１つの条件は、前記第１の周波数における前記ＷＴＲＵにサービスする第１のセルに関連する第１の品質測定値が、前記第１のセルの近傍の第２のセルに関連する第２の品質測定値よりも低くなること、および第３の品質測定値がしきい値よりも高いことを含み、前記第３の品質測定値は、前記第１の周波数以外の前記１つまたは複数の周波数における第３のセルに関連することを特徴とする請求項５に記載のＷＴＲＵ。
【請求項１０】
前記少なくとも１つの条件は、前記第１の周波数における第１のセルに関連する第１の品質測定値が、前記第１のセルの近傍の第２のセルに関連する第２の品質測定値よりも低くなること、および第３の品質測定値がしきい値よりも高いことを含み、前記第３の品質測定値は、前記第１の周波数以外の前記１つまたは複数の周波数における第３のセルに関連することを特徴とする請求項５に記載のＷＴＲＵ。
【請求項１１】
プロセッサを備えるワイヤレス送受信ユニット（ＷＴＲＵ）であって、前記プロセッサは、
１つまたは複数のコンポーネントキャリアに関連する少なくとも１つの条件を決定することであって、前記ＷＴＲＵが、１次サービングセル及び２次サービングセルを含む、ターゲット構成における前記１つまたは複数のコンポーネントキャリア上で動作するように構成可能であること、及び、
しきい値よりも低くなる前記１次サービングセルまたは前記２次サービングセルの少なくとも１つに関連する品質測定に関して測定報告を送信すること
を行うように少なくとも部分的に構成されたことを特徴とするＷＴＲＵ。
【請求項１２】
前記品質測定値は信号強度と信号品質とのうちの少なくとも一方であることを特徴とする請求項１１に記載のＷＴＲＵ。
【請求項１３】
１つまたは複数の周波数上の前記１次サービングセルまたは前記２次サービングセルのうちの前記少なくとも１つのセル上で動作するように構成可能であることを特徴とする請求項１１に記載のＷＴＲＵ。
【国際調査報告】
2013516113.tif 000012
2013516113.tif 000013